(57)【要約】【課題】  通信端末装置において、メールとその添付ファイルのデータの双方を第三者に対する利用者のプライバシーを保護する。【解決手段】  通信端末装置において、電子メールとその添付ファルに対し、アドレス帳などのデータをシークレットメールの振り分け条件として設定することなどにより、暗証番号認証が必要なシークレットメールフォルダとシークレットデータ格納領域にそれぞれ自動的に格納する。また、利用者がメールの内容を確認してから手動で振り分けることも可能である。【選択図】図４
2005107835.tif 000002
【特許請求の範囲】
【請求項１】
ファイルが添付された電子メールを受信可能な通信端末装置において、
シークレット受信メール記憶部を有する受信メール格納手段と、
シークレットデータ格納領域を有する添付ファイル格納手段と、
受信メールの付帯情報に基づいて、前記受信メールがシークレットメールか否かを判断する判断手段と、
前記判断手段による判断の結果、前記受信メールがシークレットメールである場合に、当該受信メールを前記受信メール格納手段のシークレット受信メール格納記憶部に格納し、前記受信メールに添付されたファイルを前記添付ファイル格納手段のシークレットデータ格納領域に格納する格納制御手段と、
を備えたことを特徴とする通信端末装置。
【請求項２】
ファイルが添付された電子メールを受信可能な通信端末装置において、
シークレットメール識別フラグ格納領域を有する受信メール格納手段と、
シークレットメール識別フラグ格納領域を有する添付ファイル格納手段と、
受信メールの付帯情報に基づいて、前記受信メールがシークレットメールか否かを判断する判断手段と、
前記判断手段による判断の結果、前記受信メールがシークレットメールである場合に、前記受信メールを前記受信メール格納手段に格納するとともに前記シークレットメール識別フラグを前記シークレットメール識別フラグ格納領域に格納し、かつ、前記添付ファイルを前記添付ファイル格納手段に格納するとともに前記シークレットメール識別フラグを前記添付ファイル格納手段の前記シークレットメール識別フラグ格納領域に格納する格納制御手段と、
を備えることを特徴とする通信端末装置。
【請求項３】
ファイルが添付された電子メールを受信可能な通信端末装置において、
シークレット受信メール記憶部を有する受信メール格納手段と、
シークレットファイル識別フラグ格納領域を有する添付ファイル格納手段と、
受信メールの付帯情報に基づいて、受信メールがシークレットメールか否かを判断する判断手段と、
前記判断手段による判断の結果、前記受信メールがシークレットメールである場合に、
当該受信メールを前記受信メール格納手段のシークレット受信メール格納記憶部に格納し、前記添付ファイルを前記添付ファイル格納手段に格納するとともに前記シークレットファイル識別フラグを前記シークレットファイル識別フラグ格納領域に格納する格納制御手段と、
を備えたことを特徴とする通信端末装置。
【請求項４】
ファイルが添付された電子メールを受信可能な通信端末装置において、
シークレットメール識別フラグ格納領域を有する受信メール格納手段と、
シークレットデータ格納領域を有する添付ファイル格納手段と、
受信メールの付帯情報に基づいて、受信メールがシークレットメールか否かを判断する判断手段と、
前記判断手段による判断の結果、前記受信メールがシークレットメールである場合に、
前記受信メールを前記受信メール格納手段に格納するとともに前記シークレットメール識別フラグを前記シークレットメール識別フラグ格納領域に格納し、前記添付ファイルを前記シークレットデータ格納領域に格納する格納制御手段と、
を備えたことを特徴とする通信端末装置。
【請求項５】
請求項１乃至４のいずれか一項に記載の通信端末装置において、
前記受信メール格納手段又は前記添付ファイル格納手段へのアクセス資格の認証手段と、
前記認証手段による認証が得られた場合に、前記受信メール格納手段又は前記添付ファイル格納手段からのデータの読み出しを可能とする読み出し制御手段と、
を備えことを特徴とする通信端末装置。
【発明の詳細な説明】
【技術分野】
【０００１】
本発明は、電子メール等（以下、メールという。）のメッセージを送受信できる通信端末装置、特に添付ファイル付のメールを送受信することが可能な通信端末装置に関する。
【背景技術】
【０００２】
メールや添付ファイルなどを保存するフォルダにロックをかけ、暗証番号を入力しないと、そのフォルダの中身を見えなくする機能はあった（例えば特許文献１参照）。
【０００３】
携帯電話内の電話帳に登録されているシークレットデータからの着信は、着信音を変更する機能や名前を表示しないという機能はあった（例えば特許文献２参照）。
【０００４】
メールの添付ファイルとしては、文章ファイルだけでなく画像ファイルなどもある。最近では、添付ファイルをメール本文に記憶する領域とは異なる領域に記憶し、メールの送受信、管理をするメールソフトを起動しなくても添付ファイルの内容を確認できるようにしたものもある（例えば特許文献３、４参照）。
【０００５】
【特許文献１】特開２０００−１３４２５３号公報
【特許文献２】特開２００２−３７３１４０号公報
【特許文献３】特開２００２−１５７１９９号公報
【特許文献４】特開２００３−１２２６８９号公報
【発明の開示】
【発明が解決しようとする課題】
【０００６】
携帯電話では、受信メールの格納領域と、そのメールの添付ファイルの格納領域が分けられていることが一般的である。受信メールの格納領域であるメールフォルダと添付ファイルを格納領域であるデータフォルダが関連付けられていない場合、受信メールがシークレットフォルダに入れるべきものであるにも関わらず、添付ファイルは通常のデータフォルダに格納される。この時、添付ファイルは暗証番号の認証なしに表示でき、第三者が自由に表示させることが出来るという問題点があった（特許文献１乃至４）。
【課題を解決するための手段】
【０００７】
上記課題を解決するため、請求項１に記載の発明は、
ファイルが添付された電子メールを受信可能な通信端末装置において、
シークレット受信メール記憶部を有する受信メール格納手段と、
シークレットデータ格納領域を有する添付ファイル格納手段と、
受信メールの付帯情報に基づいて、前記受信メールがシークレットメールか否かを判断する判断手段と、
前記判断手段による判断の結果、前記受信メールがシークレットメールである場合に、当該受信メールを前記受信メール格納手段のシークレット受信メール格納記憶部に格納し、前記受信メールに添付されたファイルを前記添付ファイル格納手段のシークレットデータ格納領域に格納する格納制御手段と、
を備えたことを特徴としている。
【０００８】
請求項２に記載の発明は、
ファイルが添付された電子メールを受信可能な通信端末装置において、
シークレットメール識別フラグ格納領域を有する受信メール格納手段と、
シークレットメール識別フラグ格納領域を有する添付ファイル格納手段と、
受信メールの付帯情報に基づいて、前記受信メールがシークレットメールか否かを判断する判断手段と、
前記判断手段による判断の結果、前記受信メールがシークレットメールである場合に、前記受信メールを前記受信メール格納手段に格納するとともに前記シークレットメール識別フラグを前記シークレットメール識別フラグ格納領域に格納し、かつ、前記添付ファイルを前記添付ファイル格納手段に格納するとともに前記シークレットメール識別フラグを前記添付ファイル格納手段の前記シークレットメール識別フラグ格納領域に格納する格納制御手段と、
を備えたことを特徴としている。
【０００９】
請求項３に記載の発明は、
ファイルが添付された電子メールを受信可能な通信端末装置において、
シークレット受信メール記憶部を有する受信メール格納手段と、
シークレットファイル識別フラグ格納領域を有する添付ファイル格納手段と、
受信メールの付帯情報に基づいて、受信メールがシークレットメールか否かを判断する判断手段と、
前記判断手段による判断の結果、前記受信メールがシークレットメールである場合に、
当該受信メールを前記受信メール格納手段のシークレット受信メール格納記憶部に格納し、前記添付ファイルを前記添付ファイル格納手段に格納するとともに前記シークレットファイル識別フラグを前記シークレットファイル識別フラグ格納領域に格納する格納制御手段と、
を備えたことを特徴としている。
【００１０】
請求項４に記載の発明は、
ファイルが添付された電子メールを受信可能な通信端末装置において、
シークレットメール識別フラグ格納領域を有する受信メール格納手段と、
シークレットデータ格納領域を有する添付ファイル格納手段と、
受信メールの付帯情報に基づいて、受信メールがシークレットメールか否かを判断する判断手段と、
前記判断手段による判断の結果、前記受信メールがシークレットメールである場合に、
前記受信メールを前記受信メール格納手段に格納するとともに前記シークレットメール識別フラグを前記シークレットメール識別フラグ格納領域に格納し、前記添付ファイルを前記シークレットデータ格納領域に格納する格納制御手段と、
を備えたことを特徴としている。
【００１１】
請求項５に記載の発明は、
請求項１乃至４のいずれか一項に記載の通信端末装置において、
前記受信メール格納手段又は前記添付ファイル格納手段へのアクセス資格の認証手段と、
前記認証手段による認証が得られた場合に、前記受信メール格納手段又は前記添付ファイル格納手段からのデータの読み出しを可能とする読み出し制御手段と、
を備えたことを特徴としている。
【発明の効果】
【００１２】
請求項１に記載の発明によれば、受信メールの付帯情報に基づいて、前記受信メールがシークレットメールか否かを判断する判断手段により、シークレットメールと判断された場合、受信メールをシークレット受信メール記憶部へ格納でき、その添付ファイルをシークレットデータ格納領域へと別々の格納領域に両者を関連付けて自動的に格納することができる。
【００１３】
請求項２に記載の発明によれば、受信メールの付帯情報に基づいて、前記受信メールがシークレットメールか否かを判断する判断手段により、シークレットメールと判断された場合、受信メールとその添付ファイルの両方にシークレットメール識別フラグを付加することにより、通常の受信メールと格納領域を隔てることなく、それぞれ自動的に格納することができる。
【００１４】
請求項３に記載の発明によれば、受信メールの付帯情報に基づいて、前記受信メールがシークレットメールか否かを判断する判断手段により、シークレットメールと判断された場合、受信メールにシークレットメール識別フラグを付加することにより、通常の受信メールと格納領域を隔てることなく自動的に格納でき、その添付ファイルをシークレットデータ格納領域へ格納領域を通常の添付ファイルと明確に分割して自動的に格納できる。
【００１５】
請求項４に記載の発明によれば、受信メールの付帯情報に基づいて、前記受信メールがシークレットメールか否かを判断する判断手段により、シークレットメールと判断された場合、受信メールをシークレット受信メール記憶部へ格納領域を通常の受信メールと明確に分割して自動的に格納でき、その添付ファイルはシークレットメール識別フラグを付加することにより、格納領域を隔てることなく格納することが自動的にできる。
【００１６】
請求項５に記載の発明によれば、請求項１乃至４のいずれか一項に記載の通信端末装置において、前記受信メール格納手段又は前記添付ファイル格納手段へのアクセス資格の認証手段を有することにより、前記認証手段による認証が得られた場合にのみ、前記受信メール格納手段又は前記添付ファイル格納手段からのデータの読み出しを可能とすることができる。
【００１７】
本願発明により、利用者がシークレットメールを受信した場合、受信メールと添付ファイルを通常の受信メールと格納領域を自動的に区別して格納することができる。
また、シ−クレットメールとその添付ファイルを読み出す場合、アクセス資格の認証により第三者の閲覧から利用者のプライバシーを保護することが可能である。
【発明を実施するための最良の形態】
【００１８】
以下、図面を参照しながら本発明を実施するための最良の形態について説明する。ただし、発明の範囲は図示例に限定されない。以下の説明には、用語などに対して断定的な表現が含まれている場合があるが、本発明の好ましい例を示すものであって、本発明の用語の意義や技術的な範囲を限定するものではない。
【００１９】
［第１の実施の形態］
第１の実施の形態では、受信したメールをアドレス帳データ格納領域Ｒ１に記憶された振り分け条件に従い、自動的に受信メールとその添付ファイルを通常メールかシークレットメールかに振り分ける通信端末装置の例を説明する。
【００２０】
まず、構成を説明する。
【００２１】
図１ａはカメラ付携帯電話の前面の外観を示す図である。図１ｂはカメラ付携帯電話の背面の外観を示す図である。図４はカメラ付き携帯電話の回路ブロック図である。図１ａ、図１ｂ、図２を合わせて説明する。
【００２２】
図１ａ、図１ｂ、図４に示すようにカメラ付携帯電話１は無線部２０と、通信データ処理部２１、オーディオインターフェース部２２と、撮像部２３と、キー入力部２４と、制御部２５と、ＲＯＭ(Read Only Memory)２６と、ＲＡＭ(Random Access Memory)２７と、報知部２８と、表示部２９と、で構成される。
【００２３】
無線部２０は、無線基地局との間で無線通信信号を送受信するアンテナＡｎや、図示しないＲＦ回路、モデム等の通信インターフェイスを備えて構成される通信手段である。受話時には、アンテナＡｎを介して受信された受話音声やメールの無線通信信号をＲＦ回路、モデムにより復調して通信データ処理部２１に出力する。一方、送話時には、通信データ処理部２１から入力される送話音声やメールのデータをＲＦ回路、モデムにより変調してアンテナＡｎを介して無線基地局に送信する。
【００２４】
通信データ制御部２１は送話時にオーディオインターフェース部２２を通して送話マイクＭｋから入力される受話音声信号を制御部２５に出力し、受話時には無線部部２０から入力された通信相手の送話音声信号をオーディオインターフェース部２２へ通して受話スピーカーＳｐに出力する。
【００２５】
オーディオインターフェース部２２は受話スピーカーＳｐと、送話マイクＭｋと、で構成され、音声による通話に使用される。
【００２６】
撮像部２３は撮像レンズ１１４と、フラッシュ用ＬＥＤ１１５と、で構成される。静止画または動画を撮影する際に用いられる。この画像データはメール送信用の添付ファイルとして利用できる。
【００２７】
キー入力部２４はカメラキー１０２、メールキー１０３、十字キー１０４、決定キー１０５、アドレスキー１０６、ネット接続キー１０７、クリアキー１０９、オンフックキー１０８、オフフックキー１１０、テンキー１１１と、で構成される。
【００２８】
制御部２５は、ＣＰＵ(Central-processing Unit)等からなり、ＲＯＭ２６に格納されるシステムプログラムをＲＡＭ２７に展開して、このプログラムとの協働により、携帯電話１の各部の動作を統括的に制御し、携帯電話機能を実現する。
【００２９】
ＲＯＭ(Read Only Memory)２６はシステムプログラムの他、メール作成・管理処理プログラム及び各プログラムで処理されたデータ等を記憶する。アドレス帳データ格納領域Ｒ１のデータや、メールのタイトル、メール本文中のキーワードや、添付ファイルのタイトル、キーワード、種類などをもとに、メールの振り分けを自動で行う場合の条件を格納する領域としても使用される。
【００３０】
ＲＡＭ(Random Access Memory)２７は、制御部２５によって実行される各種プログラム及びこれらのプログラムに係るデータを一時的に記憶するワークエリアを形成する。
【００３１】
報知部２８は報知用スピーカー１１６と報知用ＬＥＤ１１２と、からなり、通話または受信メール着信時に着信音やランプの明滅により使用者に対して着信の通知を行う。
【００３２】
表示部２９はメイン表示部１０１と、サブ表示部１１３と、で構成される。
【００３３】
図５はＲＡＭ２７のメモリ構成を示す図である。
【００３４】
ＲＡＭ２７は、電話番号、氏名、メールアドレスなどの個人情報をアドレス帳用データとして格納するアドレス帳データ格納領域Ｒ１と、メールの送受信元アドレス、本文、添付ファイル数、添付ファイルの格納先アドレスといったデータを格納するメールデータ格納領域Ｒ２と、シークレットメールの添付ファイルを格納するＲ３と、撮像部２３で得た静止画やインターネットでダウンロードした静止画を格納する静止画データ格納領域Ｒ４と、同じく撮像部２３で得た動画やインターネットでダウンロードした動画を格納する動画データ格納領域Ｒ５と、インターネットからダウンロードした音楽データを格納するメロディーデータ格納領域Ｒ６と、シークレットメールでない通常メールの添付ファイルを格納する通常データ格納領域Ｒ７と、で構成される。
【００３５】
アドレス帳データ格納領域Ｒ１のデータはアドレス帳を表示させるアドレス帳モードにてメイン表示部１０１にて表示させることが可能である。メールデータ格納領域Ｒ２のデータはメールを表示させるメールモードにて表示可能である。フィルタリングデータ記憶領域Ｒ８に設定されている振り分け条件はメールモードにて設定、表示させることができる。
【００３６】
その他のデータ格納領域はデータフォルダ一覧からそれぞれのフォルダを指定することで、メイン表示部１０１へ表示可能である。ただし、シークレットデータ格納領域のデータ表示には暗証番号入力による認証が必要となる。
【００３７】
図６はＲＡＭ２７内のメールデータ格納領域Ｒ２の構成図である。
【００３８】
メールデータ格納領域Ｒ２は、受信メール記憶部４０と、送信メール記憶部４１と、からなる。受信メール記憶部４０は通常受信メール記憶部４２と、暗証番号の認証を必要とするシークレット受信メール記憶部４３と、からなる。送信メール記憶部も受信メール記憶部と同様に、通常送信メール記憶部４３と、シークレット送信メール記憶部４４と、とからなる。
【００３９】
受信メール記憶部４０は、メールの送信元を示す送信元アドレスと、受信メールのタイトルと、受信メールの本文、添付ファイル数と、ＲＡＭ２７のどの領域に添付ファイルが格納されているかを示す添付ファイル格納先アドレスと、で構成されるデータを格納するフォルダである。
【００４０】
送信メール記憶部４１は、メールの送信先を示す送信先アドレスと、受信メールのタイトルと、受信メールの本文、添付ファイル数と、ＲＡＭ２７のどの領域に添付ファイルが格納されているかを示す添付ファイル格納先アドレスと、で構成されるデータを格納するフォルダである。
【００４１】
図７はアドレス帳データ格納領域Ｒ１の内部構成を示す図である。
【００４２】
アドレス帳データ格納領域Ｒ１は、名前と、電話番号と、メールアドレスと、住所といった個人情報と、自動的にメールを振り分ける場合に識別子としての役割を果たすフィルタリングフラグ又はフィルタリング番号と、から構成されるデータ領域である。
【００４３】
メールアドレスに基づいて通常メールかシークレットかを判別する場合はアドレス帳データ格納領域Ｒ１のあるビットに０又は１のフラグ情報を立てるだけで判別することが可能となる。
【００４４】
受信メールを友人からのメールや業務上のメールなど複数のグループに分けて記憶する場合は、フラグ情報だけでは足らず、フィルタリング番号として、通常の受信メールフォルダへ記憶する場合は０、シークレットメールフォルダへ記憶する場合は１、友達メールフォルダへ記憶する場合は２、業務メールフォルダへ記憶する場合は３、とフィルタリング情報を番号により識別し、その識別情報をアドレス帳データ格納領域へ格納する必要がある。
【００４５】
次に、本実施の形態における動作を説明する。
【００４６】
まず、通信端末装置１により実行されるメールの自動受信処理について、図６に示すフローチャート、図９に示すフローチャート、図１０に示すフローチャート、を参照して説明する。
【００４７】
図８に示すフローチャートにおいて、メールサーバーからメールの着信通知を受けると、自動的にメールサーバーにアクセスして自分宛てのメールをダウンロードするように設定している場合、メールは自動的に受信される（ステップＳ１０１）。
【００４８】
受信メールをシークレットメールであると判別する条件データ、例えば、送信者名や送信者のメールアドレス、メールのタイトルや本文中のキーワード、添付ファイルのタイトルやファイルの種類など、は予めＲＡＭ２７へ記憶しておく。振り分け条件が送信者のメールアドレスの場合は図７に示すアドレス帳格納領域Ｒ１にフィルタリング用フラグを立てる領域を設けることも可能である。これらの判別条件により、受信メールはシークレットメールか否か判断される（ステップＳ１０２）。
【００４９】
受信メールがシークレットメールと判断され（ステップＳ１０２；Ｙ）、添付ファイルが添付されていると判断された場合（ステップＳ１０３；Ｙ）、添付ファイルをシークレットデータ格納領域Ｒ３に格納する（ステップＳ１０４）。
【００５０】
メール及び添付ファイルの格納アドレスはメールデータ格納領域Ｒ２内のシークレット受信メール記憶部内に格納される（ステップＳ１０５）。
【００５１】
受信メールがシークレットメールと判断され（ステップＳ１０２；Ｙ）が添付ファイルがないと判断された場合（ステップＳ１０３；Ｎ）、その受信メールはシークレット受信メール格納領域に格納される（ステップＳ１０７）。
【００５２】
その後、表示部２９において、画面の明滅、マーク表示の変化、色変えなど通常受信時の異なる特別な表示を行う。報知部２８において、着信音やランプの明滅により使用者に対して着信の報知を行う（ステップＳ１０６）。報知に関しても着信音を変えるなど、ユーザーが通常とは異なると認識できる報知方法にて報知する。
【００５３】
表示部２９の報知方法として、メイン表示部１０１において、受信レベルマーク２０１や図３の当日の日付２０４、ユーザーが指定したマーク、または、ランダムマークを点滅若しくは色変えするなどして、ユーザーにシークレットメールの着信を報知することが可能である。サブ表示部１１３においては画面の明滅、色変え、メールを受信したとの旨を文字表示することにより報知可能である。その画面やマークの変化は、受信時又は受信後一定時間だけでも良いし、ユーザーがメールを確認するまで継続させることもできる。
【００５４】
受信メールが通常メールと判断され（ステップＳ１０２；Ｎ）かつそのメール添付ファイルがあると判断された場合（ステップＳ１０８；Ｙ）、添付ファイルを通常データ格納領域Ｒ７へ格納する（ステップＳ１０９）。
【００５５】
そのメール及び添付ファイルの格納アドレスはメールデータ格納領域Ｒ２内の通常受信メール記憶部４２に格納される（ステップＳ１１０）。
【００５６】
その後、表示部２９において、画面の明滅、メールマーク表示など、通常受信時の表示を行う。送信者の名前やメールアドレスを表示してもよい。
報知部２８において、着信音やランプの明滅により使用者に対して着信の報知を行う（ステップＳ１１１）。
【００５７】
次に、メール受信後のメールの読み出し表示に関して、図９、図１０に示すフローチャートと図１１のメールメニュー表示例を参照して説明する。
【００５８】
図１１はメールメニュー表示例である。このメールメニュー表示はキー入力部２４からのキー操作によりメイン表示部１０１に表示される（ステップＳ２０１）。メニュー表示されている図中のメニュー項目はカーソルキー１０４またはテンキー１１１で選択し、決定キー１０５を押下することで操作が確定する。
【００５９】
メールメニューにおいて、シークレットメールではない通常のメールを表示させる場合、キー入力部２４のキー操作により通常受信フォルダを選択する（ステップＳ２０２；Ｙ）。
【００６０】
通常メールフォルダに格納されているメールリストが表示され、本文を表示させたいメールを選択する（ステップＳ２０３）。
【００６１】
選択した受信メールの本文など、メールの内容を知りたい場合、キー入力部２４のキー操作により表示指示を出し（ステップＳ２０４）、受信メールを表示する（ステップＳ２０５）。
【００６２】
表示したメールの内容が他の第三者に知られたくない内容のメールだった場合、そのメールをシークレットメールとして登録する指示をキー入力部２４よりだす（ステップＳ２０６；Ｙ）。
【００６３】
表示したメールに添付ファイルがあると判断された場合（ステップＳ２０７；Ｙ）、添付ファイルをシークレットデータ格納領域Ｒ３へ移動する（ステップＳ２０８）。メール及び添付ファイルの格納アドレスはメールデータ格納領域Ｒ２内のシークレット受信メール記憶部４３内に移動される（ステップＳ２０９）、本読み出し処理は終了する。
【００６４】
メールリスト上でメール選択をするのみで（ステップＳ２０３）、本文を表示することなく（ステップＳ２０４；Ｎ）、選択メールがシークレットメールとして登録指示があり（ステップＳ２１０；Ｙ）でかつ添付ファイルが有った場合（ステップＳ２０７；Ｙ）、添付ファイルはシークレットデータ格納領域Ｒ３へ移動され（ステップＳ２０８）、受信メールとその添付ファイルの格納アドレスはシークレット受信メール記憶部４３へ移動され（ステップＳ２０９）、読み出し処理は終了する。添付ファイルがない場合（ステップＳ２０７；Ｎ）は選択した受信メールはシークレット受信メール記憶部４３へ移動され（ステップＳ２１１）、メールの読み出し処理は終了する。
【００６５】
メールリスト表示でメールを選択し、メール本文の表示をせず、シークレットメールとしない場合、そのメールを削除するかどうか選択できる（ステップＳ２１２）。削除したい場合は（ステップＳ２１２；Ｙ）、キー入力部２４からのキー操作によりそのメールは削除される（ステップＳ２１３）。
【００６６】
メールを削除しない場合は（ステップＳ２１２；Ｎ）、メールメニューを終了するか否かのを選択することが出来る（ステップＳ２１４）。終了指示を出した場合（ステップＳ２１４；Ｙ）、メールの読み出し処理は終了する。終了しない場合（ステップＳ２１４；Ｎ）はステップＳ２０３に戻り、メールリストからメールを選択することが出来る。
【００６７】
受信メールの本文表示し、そのメールをシークレットメールとして登録しなかった場合（ステップＳ２０６；Ｎ）、メールを本文表示させている画面で次メールの本文を表示させるか否かを選択できる（ステップＳ２１８）。次メールの本文を表示させる指示がキー入力２４からのキー操作によりあった場合（ステップＳ２１８；Ｙ）、次メールの本文を読み出す（ステップＳ２１７）と、ステップＳ２０５の処理にもどりそのメールの本文をメイン表示部１０１へ表示させる。
【００６８】
次メールの本文表示指示がなかった場合（ステップＳ２１８；Ｎ）、さらにそのメールを削除するか否か選択することができる（ステップＳ２１９）。削除指示があった場合（ステップＳ２１９；Ｙ）、そのメールを削除処理（ステップＳ２２０）する。削除指示がない場合（ステップＳ２１９；Ｎ）、メールメニューを終了するか否か選択することができる（ステップＳ２２１）。終了指示を出した場合（ステップＳ２２１；Ｙ）、本読み出し処理は終了する。終了指示がなかった場合（ステップＳ２２１；Ｙ）、表示中のメールを表示したままであるが、ステップＳ２０５の入力に戻る。
【００６９】
図１１のメールメニューにおいて、シークレット受信フォルダを選択した場合（ステップＳ２１５；Ｙ）について説明する。詳細な処理のフローは図１０となる。
【００７０】
メールメニューにおいて、シークレット受信フォルダを選択した場合、そのフォルダの内容を表示するには暗証番号の入力が必要となる（ステップＳ２２２）。暗証番号の入力が正しかったときシークレット受信フォルダ内のメールリストを表示することができる。
【００７１】
リスト表示上でどのメールを表示するかメールを選択する（ステップＳ２２３）。このメールの本文を表示するか否かを選択できる（ステップＳ２２４）。
【００７２】
メールの本文表示をキー入力部２４からのキー操作により行われた場合（ステップＳ２２４；Ｙ）、メールの本文が表示される。
【００７３】
表示したメールはシークレットメールとして登録されているが、シークレットメールとしての登録を解除するか否かを選択できる（ステップＳ２２６）。シークレット解除の指示があった場合（ステップＳ２２６；Ｙ）、そのメールの添付ファイルの有無を判別する（ステップＳ２２７）。
【００７４】
添付ファイルが存在した場合（ステップＳ２２７；Ｙ）、添付ファイルをシークレットデータ格納領域Ｒ３から通常データ格納領域Ｒ７へ移動し（ステップＳ２２８）、メール及び添付ファイルの格納アドレスをシークレット受信メール記憶部４３から通常受信メール記憶部４２へ移動する（ステップＳ２２９）。
【００７５】
メールリスト上でメール選択をするのみで（ステップＳ２２３）、本文を表示することなく（ステップＳ２２４；Ｎ）、選択メールがシークレットメールとして解除指示があり（ステップＳ２３０；Ｙ）でかつ添付ファイルが有った場合（ステップＳ２２７；Ｙ）、添付ファイルは通常データ格納領域Ｒ７へ移動され（ステップＳ２２８）、受信メールとその添付ファイルの格納アドレスは通常受信メール記憶部４２へ移動され（ステップＳ２２９）、読み出し処理は終了する。添付ファイルがない場合（ステップＳ２２７；Ｎ）は選択した受信メールは通常受信メール記憶部４３へ移動され（ステップＳ２３１）、メールの読み出し処理は終了する。
【００７６】
メールリスト表示でメールを選択し、メール本文を表示せず、シークレットメール解除指示がない場合（ステップＳ２３０；Ｎ）、そのメールを削除するかどうか選択できる（ステップＳ２３２）。削除したい場合は（ステップＳ２３２；Ｙ）、キー入力部２４からのキー操作によりそのメールは削除される（ステップＳ２３３）。
【００７７】
メールを削除しない場合は（ステップＳ２３２；Ｎ）、メールメニューを終了するか否かのを選択することが出来る（ステップＳ２３４）。終了指示を出した場合（ステップＳ２３４；Ｙ）、メールの読み出し処理は終了する。終了しない場合（ステップＳ２３４；Ｎ）はステップＳ２２３に戻り、メールリストからメールを選択することが出来る。
【００７８】
受信メールの本文表示し（ステップＳ２２５）、そのメールをシークレットメールの解除指示を出さなかった場合（ステップＳ２２６；Ｎ）、メールを本文表示させている画面で次メールの本文を表示させるか否かを選択できる（ステップＳ２３５）。次メールの本文を表示させる指示がキー入力２４からのキー操作によりあった場合（ステップＳ２３５；Ｙ）、次メールの本文を読み出す（ステップＳ２３８）と、ステップＳ２２５の処理にもどりそのメールの本文をメイン表示部１０１へ表示させる。
【００７９】
次メールの本文表示指示がなかった場合（ステップＳ２３５；Ｎ）、さらにそのメールを削除するか否か選択することができる（ステップＳ２３６）。削除指示があった場合（ステップＳ２３６；Ｙ）、そのメールを削除処理（ステップＳ２３７）する。削除指示がない場合（ステップＳ２３６；Ｎ）、メールメニューを終了するか否か選択することができる（ステップＳ２３９）。終了指示を出した場合（ステップＳ２３９；Ｙ）、本読み出し処理は終了する。終了指示がなかった場合（ステップＳ２３９；Ｎ）、表示中のメールを表示したままであるが、ステップＳ２２５の入力に戻る。
【００８０】
図１１のメールメニューにおいて通常受信フォルダやシークレット受信フォルダを選択しなかった場合、新着メール問い合わせや設定などその他の処理を行う操作となる（ステップＳ２１６）。
【００８１】
図２、図３はシークレットメールの着信を利用者へ表示通知する画面の表示例である。
【００８２】
図２は時刻表示２００、無線アンテナアイコン２０１、シークレットメールアイコン２０２、メールアイコン２０３又はランダムの表示を点滅、色変え表示をメイン表示部１０１で表示させることにより、利用者はシークレットメールの受信を確認できる。
【００８３】
図３はメイン表示部１０１のカレンダー表示例である。日付表示２０４を点滅、色変え表示をすることにより、利用者はシークレットメールの受信を確認できる。
【００８４】
以上のように、第１の実施の形態によれば、受信メールが通常メールかシークレットメールであるかの条件をアドレス帳データ格納領域Ｒ１内にフィルタリングフラグ又はフィルタリング番号を設定することにより、自動的に受信メールとその添付ファイルの双方のデータを暗証番号の認証が必要で安全度の高いシークレット受信メールフォルダ４３とシークレットデータ格納領域Ｒ３へそれぞれ格納することができる。
【００８５】
受信したメールを再度読み出す時に、通常メールからシークレットメールへの変更や、逆にシークレットメールから通常メールへの変更を任意のメールに対して行うことができる。
【００８６】
また、メールデータと添付ファイルデータを別々のフォルダで管理するため、メールソフトを起動時はもちろん、メールソフトを起動しない場合も添付ファイルの内容を確認することができる。
【００８７】
このように、メールやデータの管理機能、安全性が高く、利便性に富んだ通信端末装置の提供が可能である。
【００８８】
［第２の実施の形態］
第２の実施の形態では、受信したメールを一時的にテンポラリー領域であるＲＡＭ２７に格納し、ユーザーがメールの内容を確認してから手動操作により受信メールとその添付ファイルを通常メールかシークレットメールへ振り分ける通信端末装置の例を説明する
【００８９】
まず、第２の実施の形態における通信端末装置の構成について説明するが、第２の実施の形態における通信端末装置の構成は、第１の実施の形態におけるカメラ付携帯電話１の構成と同一であるので、同一の符号を付してその図示を省略し、異なる構成部分についてのみ説明する。
【００９０】
図１ａ、図１ｂ、図４に示すようにカメラ付携帯電話１は無線部２０と、通信データ処理部２１、オーディオインターフェース部２２と、撮像部２３と、キー入力部２４と、制御部２５と、ＲＯＭ２６と、ＲＡＭ２７と、報知部２８と、表示部２９と、で構成される。
【００９１】
ＲＡＭ２７は第２の実施の形態におけるメール作成・管理処理プログラム及び各プログラムで処理されたデータ等を記憶する。アドレス帳データ格納領域Ｒ１のデータを格納する領域としても使用される。
【００９２】
ＲＡＭ２７は、制御部２５によって実行される各種プログラム及びこれらのプログラムに係るデータを一時的に記憶するワークエリアを形成する。実施例２では受信メール着信時、ユーザーが手動でメールを振り分けるまえに、一時的に受信メールと添付ファイルのデータを格納する領域としても使用される。
【００９３】
その他の構成は第１の実施の形態と同様の構成であるので、詳細な説明は省略する。
【００９４】
次に第２の実施の形態におけるカメラ付携帯電話１の動作について説明する。
【００９５】
まず、カメラ付携帯電話１により実行されるメールの手動受信処理について、図１２に示すフローチャートを、読み出し処理について、図９に示すフローチャートと図１０に示すフローチャートを、参照して説明する。
【００９６】
図１２に示すフローチャートにおいて、受信メールの着信があった場合、メールサーバーからメールの着信通知を受けとり（ステップＳ３０１）、ユーザーがキー入力部２４によるキー操作によりメールサーバーにアクセスして自分宛てのメールをダウンロードする（ステップＳ３０２）。この時、メール受信を自動に設定している場合は、メール受信後に着信通知後、自動的にメールを受信する。手動に設定している場合は、メールの着信通知を受信後、ユーザーがキー入力部２５のキー操作を行うことにより、メールを受信する。
【００９７】
メールを受信した後、メールの内容を確認するために受信メールをメイン表示部１０１へ表示させる（ステップＳ３０３）。
【００９８】
ユーザーがメールの内容を確認して、そのメールを第三者に見せたくないものであった場合、ユーザーはシークレットメールとするか否か選択できる（ステップＳ３０４）。
【００９９】
シークレットメールとして登録したいメールであった場合（ステップＳ３０４；Ｙ）、次に添付ファイルの有無を判定する（ステップＳ３０５）。
【０１００】
添付ファイル有りの場合（ステップＳ３０５；Ｙ）、添付ファイルをシークレットデータ格納領域Ｒ３へ格納し（ステップＳ３０６）、メールと添付ファイルの格納アドレスをシークレット受信メール記憶部４３に格納する。
【０１０１】
添付ファイルなしの場合（ステップＳ３０５；Ｎ）、メールをシークレット受信メール記憶部４３へ格納する（ステップＳ３０８）。
【０１０２】
シークレットメールとして登録する必要のないメールであった場合（ステップＳ３０４；Ｎ）、メールメニューを終了するか否かを選択することができる（ステップＳ３０９）。
【０１０３】
メールメニューを終了する指示があった場合（ステップＳ３０９；Ｙ）、添付ファイルの有無を判定する（ステップＳ３１０）。
【０１０４】
添付ファイル有りの場合（ステップＳ３１０；Ｙ）、添付ファイルを通常データ格納領域Ｒ７へ格納し（ステップＳ３１１）、メールと添付ファイルの格納アドレスを通常受信メール記憶部４２に格納する（ステップＳ３１２）。
【０１０５】
添付ファイルなしの場合（ステップＳ３１０；Ｎ）、メールを通常受信メール記憶部４２へ格納する（ステップＳ３１３）。
【０１０６】
メールメニューを終了する指示がない場合（ステップＳ３０９；Ｎ）、ステップＳ３０３の入力にもどる。
【０１０７】
図９、図１０のメール読み出し処理に関しては、第１の実施の形態と同様の構成、動作処理を行う。
【０１０８】
以上のように、第２の実施の形態によれば、ユーザーが受信メールの内容を確認した後、必要なメールと添付ファイルのみを選択し、暗証番号の認証が必要なシークレット受信メール記憶部４３とシークレットデータ格納領域Ｒ３へ格納することができる。その他の通常メールと添付ファイルを通常受信メール記憶部４２と通常格納領域Ｒ７へ格納する。
【０１０９】
ユーザー手動操作により、自動振り分けの条件設定では振り分けることのできない任意のメールに対して振り分けることができる。一時的な記憶領域としてＲＡＭ２７の領域を用いることにより、限られた情報資源を有効に活用することができる。
【０１１０】
このように、メールやデータの管理機能、安全性が高く、利便性に富んだ通信端末装置の提供が可能である。
【０１１１】
［第３の実施の形態］
第３の実施の形態では、受信したメッセージメールとその添付ファイルを一度全て通常受信メール記憶部４２と通常データ格納領域Ｒ７へ格納する。ユーザーがメールの内容を確認したから、手動操作により受信メールとその添付ファイルを通常メールかシークレットメールへ振り分ける通信端末装置の例を説明する。
【０１１２】
まず、第３の実施の形態における通信端末装置の構成について説明するが、第３の実施の形態における通信端末装置の構成は、第１の実施の形態におけるカメラ付携帯電話１の構成と同一であるので、同一の符号を付してその図示を省略し、異なる構成部分についてのみ説明する。
【０１１３】
図１ａ、図１ｂ、図４に示すように携帯電話１は無線部２０と、通信データ処理部２１、オーディオインターフェース部２２と、撮像部２３と、キー入力部２４と、制御部２５と、ＲＯＭ２６と、ＲＡＭ２７と、報知部２８と、表示部２９と、で構成される。
【０１１４】
ＲＡＭ２７はシステムプログラムの他、第３の実施の形態におけるメール作成・管理処理プログラム及び各プログラムで処理されたデータ等を記憶する。
【０１１５】
その他の構成は第１の実施の形態と同様の構成であるので、詳細な説明は省略する。
【０１１６】
次に第３の実施の形態における携帯電話の動作について説明する。
【０１１７】
まず、カメラ付携帯電話１により実行されるメールの手動受信処理について、図１３に示すフローチャートを、読み出し処理について、図９に示すフローチャートと図１０に示すフローチャートを、参照して説明する。
【０１１８】
図１３に示すフローチャートにおいて、受信メールの着信があった場合、メールサーバーからメールの着信通知を受けとり（ステップＳ４０１）、ユーザーがキー入力部２４によるキー操作によりメールサーバーにアクセスして自分宛てのメールをダウンロードする操作を行う（ステップＳ４０２）。
【０１１９】
受信したメールと添付ファイルを通常受信メール記憶部４２と通常データ記憶部Ｒ７へ一度全て格納する（ステップＳ４０３）。
【０１２０】
ユーザーが読みたいメールを選択しそのメールの内容をメイン表示１０１へ表示させる（ステップＳ４０４）。
【０１２１】
ユーザーがメールの内容を確認して、そのメールを第三者に見せたくないものであった場合、ユーザーはシークレットメールとするか否か選択できる（ステップＳ４０５）。
【０１２２】
シークレットメールとして登録したいメールであった場合（ステップＳ４０５；Ｙ）、次に添付ファイルの有無を判定する（ステップＳ４０６）。
【０１２３】
添付ファイル有りの場合（ステップＳ４０６；Ｙ）、添付ファイルをシークレットデータ格納領域Ｒ３へ格納し（ステップＳ４０７）、メールと添付ファイルの格納アドレスをシークレット受信メール記憶部４３に格納する（ステップＳ４０８）。
【０１２４】
添付ファイルなしの場合（ステップＳ４０６；Ｎ）、メールをシークレット受信メール記憶部４３へ格納する（ステップＳ４０９）。
【０１２５】
シークレットメールとして登録したいメールでなかった場合（ステップＳ４０５；Ｎ）、メールメニューを終了するか否かを選択できる。
【０１２６】
メールメニューを終了する指示があった場合（ステップＳ４１０；Ｙ）、本格納処理は終了する。
【０１２７】
メールメニューを終了する指示がなかった場合（ステップＳ４１０；Ｎ）、ステップＳ４０４の入力へ戻る。
【０１２８】
図９、図１０のメール読み出し処理に関しては、第１の実施の形態と同様の構成、動作処理を行う。
【０１２９】
以上のように、第３の実施の形態によれば、受信メールと添付ファイルを通常受信メール記憶部４２と通常データ格納領域Ｒ７に格納した後、ユーザーがその内容を確認し、必要なメールと添付ファイルのみを選択し、暗証番号の認証が必要なシークレット受信メール記憶部４３とシークレットデータ格納領域Ｒ３へ格納することができる。
【０１３０】
第２の実施の形態の例と同様にユーザー手動操作により、自動振り分けの条件設定では振り分けることのできない任意のメールに対して振り分けることができる。
【０１３１】
受信したメールの全てが一度通常受信メール記憶部４２に格納されるので、一度に大量の受信メールをチェックする場合、ユーザーは１つのフォルダを確認すればよいので読み損ないを防ぐことができる好適な方法だという点で第２の実施の形態の例と異なる効果が得られる。
【０１３２】
このように、メールやデータの管理機能、安全性が高く、利便性に富んだ通信端末装置の提供が可能である。
【０１３３】
［実施の形態の変形例］
第１から第３の実施例では、図６で示すように、メールの受信フォルダと送信フォルダをそれぞれシークレットフォルダと通常フォルダとに分ける構成としている。また、メール本文をタイトル等とともに同一のフォルダに記憶する構成としている。
【０１３４】
図４のメールデータ格納領域Ｒ２内のメモリ構成の変形例として、図１４のようにシークレットメールか否かはシークレットフラグ（図中のＳＣＦ）で識別する方式にして、シークレットメールと通常メールを単一のフォルダに格納する構成としたもので、かつメール本文とタイトルなどのメール情報などを別フォルダへ記憶する構成としてもよい。
【０１３５】
物理的なフォルダは図１５に示すとおり、受信メールのタイトルなどを格納する受信フォルダ６１、送信メールのタイトルなど格納する送信フォルダ６２、送受信メールのメール本文を格納するメール本文フォルダ６３の三つであるが、論理的には図１１に示すように四つのフォルダとして取り扱えるので、図９と図１０に示した読み出し処理も行うこともできる。
【０１３６】
第１から第３の実施例では、図５に示すように、静止画データは静止画データ格納領域Ｒ４へ格納するなど、各データ格納領域にそれぞれ対応するデータを格納する構成としている。
【０１３７】
シークレットデータや静止画データなどの各データは共通のデータ格納領域にランダムに記憶する方式にし、各フォルダにはデータ記憶領域に記憶されたデータの格納アドレスを記憶する構成にしてもよい。
【図面の簡単な説明】
【０１３８】
【図１】ａはカメラ付携帯電話の前面の外観を示す図であり、ｂはカメラ付携帯電話の背面の外観を示す図である。
【図２】メイン表示部１０１のエリア構成を示す図である。
【図３】メイン表示部１０１におけるカレンダー表示画面を示す図である。
【図４】カメラ付き携帯電話の回路ブロック図である。
【図５】ＲＡＭ２７のメモリ構成を示す図である。
【図６】メールデータ格納領域Ｒ２のメモリ構成を示す図である。
【図７】アドレス帳データ格納領域Ｒ１の内部構成を示す図である。
【図８】受信メールの格納処理を示すフローチャート（自動受信・自動格納）である。
【図９】受信メールの読み出し表示処理を示すフローチャートである。
【図１０】受信メールの読み出し表示処理を示すフローチャートである。
【図１１】表示部２９に表示されるメールメニューの表示例を示す図である。
【図１２】受信メールの格納処理を示すフローチャート（自動或いは手動受信・手動格納）である。
【図１３】受信メールの格納処理を示すフローチャート（自動或いは手動受信・シークレット受信フォルダへの手動格納）である。
【図１４】ＲＡＭ２７メモリの構成の変形例を示す図である。
【図１５】メールデータ格納領域の構成の変形例を示す図である。
【符号の説明】
【０１３９】
１  カメラ付携帯電話
２０  無線部
２１  通信データ処理部
２２  オーディオインターフェース部
２３  操作部
２４  キー入力部
２５  制御部
２６  ＲＯＭ
２７  ＲＡＭ
２８  報知部
２９  表示部
【図１】
2005107835.tif 000003
【図２】
2005107835.tif 000004
【図３】
2005107835.tif 000005
【図４】
2005107835.tif 000006
【図５】
2005107835.tif 000007
【図６】
2005107835.tif 000008
【図７】
2005107835.tif 000009
【図８】
2005107835.tif 000010
【図９】
2005107835.tif 000011
【図１０】
2005107835.tif 000012
【図１１】
2005107835.tif 000013
【図１２】
2005107835.tif 000014
【図１３】
2005107835.tif 000015
【図１４】
2005107835.tif 000016
【図１５】
2005107835.tif 000017